(57)【要約】【課題】  複数のユーザーで画像を共有し、同時に視聴する視聴形態において、複数ユーザーにより、現在どの画像が注目されているかが一目で分かるようにする。【解決手段】  ネットワーク接続され、複数の情報表示装置間で共有する画像情報を同時に視聴可能な情報表示システムにおいて、特定の情報表示装置の表示に同期して複数の情報表示装置の表示形態を切り替える動作モードであるか否かにより、前記接続先の情報表示装置において選択されている画像を示すアイコンの配置位置を決定する。【選択図】  図１
2005202544.tif 000002
【特許請求の範囲】
【請求項１】
ネットワーク接続され、複数の情報表示装置間で共有する画像情報を同時に視聴可能な情報表示システムにおいて、
特定の情報表示装置の表示に同期して複数の情報表示装置の表示形態を切り替える動作モードであるか否かにより、
前記接続先の情報表示装置において選択されている画像を示す指示アイコンの配置位置を決定する事を特徴とする情報表示装置。
【請求項２】
前記複数の情報表示装置の表示形態を切り替える動作モードにおける同期動作の主従関係により、前記指示アイコンの配置位置を決定する事を特徴とする請求項１記載の情報表示装置。
【請求項３】
ネットワーク接続され、複数の情報表示装置間で共有する画像情報を同時に視聴可能な情報表示システムにおいて、
特定の情報表示装置の表示に同期して複数の情報表示装置の表示形態を切り替える動作モードであるか否かにより、
前記接続先の情報表示装置において選択されている画像を示す指示アイコンに該動作モードである事を示すアイコンを付加する事を特徴とする情報表示装置。
【請求項４】
前記複数の情報表示装置の表示形態を切り替える動作モードにおける同期動作の主従関係により、該動作モードである事を示すアイコンを決定する事を特徴とする請求項４記載の情報表示装置。
【発明の詳細な説明】
【技術分野】
【０００１】
本発明は、ネットワーク接続された複数の情報表示装置間で静止画像、動画像等の情報を送受信し、情報表示装置ユーザーによってコミュニケーションを行なう為の情報表示装置に関する。
【背景技術】
【０００２】
ＡＤＳＬや光ファイバーによるインターネット接続環境の整備を背景に、離れた場所に住んでいる情報表示装置ユーザー間で、情報を送受信しあうコミュニケーション形態が普及し始めている。そのコミュニケーション形態の例として、文字情報や静止画像、動画像等を送りあう電子メールやメッセンジャーサービス等が挙げられる。またインターネットをはじめとしたコンピュータネットワークに接続された情報交換端末どうしが、興味のある映像情報について簡単に情報交換できるようにする為のコミュニケーション手段は、（特許文献）特開２００１−３４４１８４、特開２００３−１５０５２９等において開示されている。
【０００３】
また昨今のデジタルカメラの爆発的な普及を背景に、誰でも簡単にオリジナルの画像情報を作成することが可能な状況になっている。それら画像情報を離れた場所に住んでいる友人や家族等に見せたりする為に、ユーザーは自分のホームページ上に複数の画像情報を公開し、電子メールによって画像を見た感想や意見を交換するコミュニケーション手段も存在する。
【発明の開示】
【発明が解決しようとする課題】
【０００４】
しかしながら、離れた場所に住んでいる情報表示装置ユーザー間で前記コミュニケーション手段を用い、複数の画像情報を視聴しながら、コミュニケーションを行なう場に、
・複数ユーザーによって、現在どの画像が注目されているかが一目で分かりにくいという課題があった。
【課題を解決するための手段】
【０００５】
本発明の目的は、上記課題を解決し、離れた場所に住んでいる情報表示装置ユーザー間で、より円滑なコミュニケーションを行なう為の情報表示装置を提供する事である。その為、本情報表示装置は、ネットワーク接続され、複数の情報表示装置間で共有する画像情報を同時に視聴可能な情報表示システムにおいて、特定の情報表示装置の表示に同期して複数の情報表示装置の表示形態を切り替える動作モードであるか否かにより、前記接続先の情報表示装置において選択されている画像を示すアイコンの配置位置を決定する事を特徴とする。
【０００６】
また、ネットワーク接続され、複数の情報表示装置間で共有する画像情報を同時に視聴可能な情報表示システムにおいて、
特定の情報表示装置の表示に同期して複数の情報表示装置の表示形態を切り替える動作モードであるか否かにより、
前記接続先の情報表示装置において選択されている画像を示すアイコンに該動作モードである事を示す表示を付与する事を特徴とする。
【発明の効果】
【０００７】
本発明によれば、
・複数ユーザーにより、現在どの画像が注目されているかが一目で分かるようになる。
【０００８】
これにより、現在、複数のユーザーで注目されている画像を視聴していないユーザーも、同じ画像に対し注目し易くなる為、複数ユーザー間での、より円滑なコミュニケーションを行なう事が可能となる。
【発明を実施するための最良の形態】
【０００９】
（実施例１）
以下、図面を用いて本発明を実施する為の第１形態について、説明を行なう。
【００１０】
図１は、本発明の実施例１による情報表示装置の接続形態を表わす概念図である。同図中、１０１は情報表示装置（１）、１０２は情報表示装置（２）、１０３は情報表示装置（３）、１０４はコンテンツサーバー、１０５はインターネット、１０６はデジタルビデオカムコーダ１（以下、ＤＶＣ（１））、１０７はデジタルビデオカムコーダ（２）（以下、ＤＶＣ（２））、１０８はデジタルビデオカムコーダ（３）（以下、ＤＶＣ３）を示し、情報表示装置（１）１０１、情報表示装置（２）１０２、情報表示装置（３）１０３を利用するユーザー間でコンテンツサーバー１０４に存在するデジタルカメラ等で撮影された複数の画像を視聴しながらコミュニケーションを行なうシステムの接続形態を示している。
【００１１】
以下、情報表示装置（１）１０１の動作を主に説明する。
【００１２】
図２は、本発明の実施例１による情報表示装置の構成を表わすブロック図である。同図中、２０１は操作部、２０２はネットワーク制御部、２０３はＣＰＵ、２０４は画像情報デコード部、２０５はメモリ、２０６は表示制御部、２０７は画像表示部、２０８はシステムバス、２０９は画像フォーマット変換部、２１０は接続機器制御部を示す。
【００１３】
図３は、図１における操作部２０１に配置される操作ボタン群である。同図中、３０１は移動ボタン、３０２は決定ボタン、３０３はチャットボタン、３０４は同期制御ボタン、３０５はテンキーを示す。
【００１４】
図４は、ユーザーによるコミュニケーション開始操作が実行された場合に、画像表示部２０７に表示画面の一形態を表示するまでの動作フローを示している。
【００１５】
図５は、コミュニケーション開始が実行された場合に画像表示部２０７に表示する画面の一形態であるインデックス表示を示す。５０１（ａ）〜（ｌ）によって、コミュニケーションの際に使用する複数の画像データを示している。５０２で示すものは、図３の移動ボタン３０１の操作によって移動し、画像表示部２０７の画面全体に表示する画像の候補を示す動画アイコンであり、情報表示装置（１）１０１に接続されたＤＶＣ（１）１０６によって映し出されたユーザーの画像情報をアイコンとして表示したものである。５０３、５０４で示すものは、コミュニケーション相手から受信する動画像情報をアイコンとして表示した動画アイコンである。本情報表示装置は、コミュニケーション相手が選択中の画像上に、この動画アイコン５０３、５０４を多重して表示する構成になっている。動画アイコン５０３は情報表示装置（２）１０２のユーザー、動画アイコン５０４は情報表示装置（３）１０３のユーザーが選択中の画像上に多重して表示する。
【００１６】
図４のＳ４０１において、ユーザーにより、図３のチャットボタン３０３を用いたコミュニケーション開始操作が行なわれると、Ｓ４０２において、ＣＰＵ２０３は、ネットワーク制御部２０２を介して、図１のコンテンツサーバー１０４からコミュニケーションの際に使用する複数の画像データを取得する。ここで取得したデータは一時的にメモリ２０５に格納される。メモリ２０５に蓄積された画像データは、画像情報デコード部２０４によって復号後、表示制御部２０６に送り、画像表示部２０７において表示する。
【００１７】
Ｓ４０３において、ＣＰＵ２０３は、ネットワーク制御部２０２を介し、他の情報表示装置、つまり図２における情報表示装置（２）１０２、情報表示装置（３）１０３の表示形態情報を取得する。表示形態情報とは、
・コミュニケーション動作を開始しているか否か、
・コンテンツサーバー１０４から取得した画像をどのような形態（インデックス表示、シングル表示、拡大表示、スライドショー表示）で表示しているか、
・同期視聴モードで視聴しているか否か、
・インデックス表示の場合は、動画アイコンが配置されている画像の識別情報（ファイル名やインターネット上に存在する画像の場所を指し示すＵＲＬ（Ｕｎｉｆｏｒｍ  Ｒｅｓｏｕｒｃｅ  Ｌｏｃａｔｏｒ））
・シングル表示、拡大表示、スライドショー表示の場合は、画像表示部２０７に表示中の画像の識別情報
・拡大表示の場合は、拡大率や拡大部分の位置情報
・スライドショー表示の場合は、画像の切替間隔情報
等の情報を含む。ここで同期視聴モードとは、１つの情報表示装置の表示に同期して複数の情報表示装置の画像表示形態が切り替わる動作モードである。例えば、図６の（６−ａ）のように情報表示装置（１）１０１、情報表示装置（２）１０２、情報表示装置（３）１０３が全てインデックス表示である状態において、情報表示装置（１）１０１と情報表示装置（２）１０２が同期視聴モードであった場合に、（６−ｂ）のように情報表示装置（１）１０１がシングル表示になると、それに同期して情報表示装置（２）１０２の表示が同一画像のシングル表示に切り替わる。
【００１８】
Ｓ４０４において、ＣＰＵ２０３は、自情報表示装置の表示形態情報を取得する。コミュニケーション開始動作直後の場合、図５に示したような複数の画像を一覧して表示する形態であるインデックス表示状態であるという情報を取得する。
【００１９】
Ｓ４０５において、ＣＰＵ２０３は、Ｓ４０３とＳ４０４において取得した他情報表示装置と自情報表示装置の表示形態情報に従って、画像表示部２０７に表示する画面の表示方法を決定する。ここでは図５に示したように、インデックス表示を行ない、情報表示装置（２）１０２が選択している画像の右下の位置に動画アイコン５０３、情報表示装置（３）１０３が選択している画像の左下の位置に動画アイコン５０４を多重して表示する事を決定し、配置位置情報を表示制御部２０６に送る。
【００２０】
Ｓ４０６において、ＣＰＵ２０３は、自情報表示装置の表示形態情報を他情報表示装置に対し、送信を行なう。
【００２１】
Ｓ４０７において、ＣＰＵ２０３は、接続機器制御部２１０を介して、情報表示装置（１）１０１に接続されるＤＶＣ（１）１０５を制御し、情報表示装置（１）１０１のユーザーの動画像情報を取得、画像フォーマット変換部２０９において、インターネット１０４を介して情報表示装置（２）１０２に送信するストリーミングデータ形式への変換を行ない、ネットワーク制御部２０２を介し、情報表示装置（２）１０２、情報表示装置（３）１０３に対し、送信を開始する。
【００２２】
Ｓ４０８において、ＣＰＵ２０３は、ネットワーク制御部２０２を介して、情報表示装置（２）１０２、情報表示装置（３）１０３から送信される動画像情報を受信開始し、画像情報デコード部２０４によって復号後、表示制御部２０６に送る。
【００２３】
Ｓ４０９において、表示制御部２０６は、複数画像のインデックス表示と共に、Ｓ４０８において復号された動画像情報をＳ４０９において決定された配置位置情報に基づき、図５に示したような動画アイコン５０２、５０３、５０４として、画像表示部２０７に表示する。これにより、情報表示装置（１）１０１のユーザーは、ＤＶＣ（２）１０７、ＤＶＣ（３）１０８によって映し出された情報表示装置（２）１０２、情報表示装置（３）１０３のユーザーの姿を見ながらコミュニケーションできる。
【００２４】
Ｓ４１０において、コミュニケーション開始操作があった場合の動作を完了する。本動作完了後、ＣＰＵ２０３は、ユーザーによるコミュニケーション終了操作が実行されるまで、図７に示す動作フローにおけるＳ７０１、Ｓ７０２において、図４のＳ４０３、Ｓ４０４における動作同様の他情報表示装置と自情報表示装置の表示形態情報の取得動作を繰り返すことになる。
【００２５】
Ｓ７０３において、ＣＰＵ２０３が、いずれかの表示形態情報に変化があった事を検出した場合、Ｓ７０４において、図４のＳ４０３、Ｓ４０４における動作同様、表示形態情報に従って表示方法を決定し、Ｓ７０５において、表示制御部２０６は画像表示部２０７に表示する画面の表示を更新する。
【００２６】
以下、本発明のポイントとなる同期視聴モードであるか否かによって、動画アイコンの表示位置を決定する場合の動作について説明を行なう。
【００２７】
図８は、図５の画面表示状態から情報表示装置（１）１０１のユーザーにより、図３の移動ボタン３０１の下方向ボタン押下によって、５０１（ｅ）の画像が選択された場合のインデックス表示状態を示す。
【００２８】
図９は、図５の画面表示状態から情報表示装置（１）１０１のユーザーにより、図３の同期ボタン３０４、移動ボタン３０１、決定ボタン３０２を用いて、情報表示装置（２）１０２のユーザーとの同期視聴モードに移行した場合のインデックス表示状態を示す。
【００２９】
ユーザーにより、図３の同期ボタン３０４が押された場合、図１０に示す同期視聴ユーザーを選択する為の画面が表示される。ユーザーは、この画面から移動ボタン３０１で同期視聴を行ないたいユーザーのアイコン（１００１、又は１００２）にフォーカス枠１００３をあわせ、決定ボタン３０２押下によって、選択したユーザーとの同期視聴モードに移行することができる。図１０の表示状態においては、フォーカス枠１００３が情報表示装置（２）のユーザーを示すアイコン１００１の位置にあり、情報表示装置（２）ユーザーの操作に従って、情報表示装置（１）の表示が同期して切り替わる同期視聴モードに移行するようになる。先の操作により、同期視聴モードに移行した場合、Ｓ７０４において、ＣＰＵ２０３は、同期視聴モードであるユーザーの動画アイコン同士を隣接させ、情報表示装置（２）が「主」、情報表示装置（１）が「従」の関係が分かるよう、同期視聴動作の「主」となる情報表示装置（２）のユーザーの動画アイコン５０３が向かって左側、同期視聴動作の「従」となる情報表示装置（１）のユーザーの動画アイコン５０２が向かって右側に配置されるよう、図９の５０２、５０３に示す表示形態を決定し、配置位置情報を表示制御部２０６に送る。
【００３０】
Ｓ７０５において、表示制御部２０６は、ＣＰＵ２０３から受信した配置制御情報に基づき、画像表示部２０７の表示を図９に示したように更新する。
【００３１】
Ｓ７０６において、ＣＰＵ２０３は、Ｓ７０３において検出した表示形態情報の変化が自情報表示装置の変化であったかどうかを判断する。上述のような図５から図８、又は図９への画面表示遷移の場合は、自情報表示装置の変化である為、Ｓ７０７において、表示形態情報を情報表示装置（２）１０２、情報表示装置（３）１０３に送信する。この場合、情報表示装置（１）１０１から送信された表示形態情報を受信した情報表示装置（２）１０２、情報表示装置（３）１０３において、図７に示した動作と同様の動作が実行され、図９に示したような画面が表示可能な状態になる。この画面を見た情報表示装置（３）１０３のユーザーは、情報表示装置（１）１０１、情報表示装置（２）１０２のユーザーが同期視聴モードを用いて、同じ写真に注目している事が一目で分かるようになる。
【００３２】
以上述べたように、Ｓ７０１〜Ｓ７０７の動作を繰り返し、コミュニケーションを行なう自情報表示装置と他情報表示装置の表示形態情報を相互に送受信し、同期視聴モードである事を分からしめる表示を行なう事で、情報表示装置ユーザーは、
・複数ユーザーにより、現在どの画像が注目されているかが一目で分かるようになる。これにより、現在、複数のユーザーで注目されている画像を視聴していないユーザーも、同じ画像に対し注目し易くなる為、複数ユーザー間での、より円滑なコミュニケーションを行なう事が可能となる。
【００３３】
（実施例２）
以下、図面を用いて本発明を実施する為の第２形態について、説明を行なう。
【００３４】
図１１に、図５の画面表示状態から情報表示装置（１）１０１のユーザーにより、図３の同期ボタン３０４、移動ボタン３０１、決定ボタン３０２を用いて、情報表示装置（２）１０２のユーザーとの同期視聴モードに移行した場合のインデックス表示状態を示す。図１１中、１１０１で示すように、同期視聴モードであるユーザーの動画アイコン５０２、５０３間に、ユーザーに対し、同期視聴モードであって、繋がっている印象を与えるグラフィック１１０１を付与するよう表示形態を決定する事により、
・複数ユーザーにより、現在どの画像が注目されているかを更に分かり表示する事も可能である。
【００３５】
また、図１２に示すように情報表示装置（２）が「主」、情報表示装置（１）が「従」の関係が分かるよう同期視聴モードである事を示すグラフィック１２０１を付与するよう表示形態を決定する事により、
・複数ユーザーにより、現在どの画像が注目されているかを更に分かり表示する事も可能である。
【図面の簡単な説明】
【００３６】
【図１】本発明の実施例に係る情報表示装置の接続形態を表わす概念図
【図２】本発明の実施例に係る情報表示装置の構成を表わすブロック図
【図３】本発明の実施例に係る情報表示装置の操作部に備わる操作ボタン群
【図４】本発明の実施例に係る情報表示装置の動作フロー１
【図５】本発明の情報表示装置が表示する画面の一形態であるインデックス表示１
【図６】同期視聴モード時の画面表示遷移を表わす図
【図７】本発明の実施例に係る情報表示装置の動作フロー２
【図８】本発明の情報表示装置が表示する画面の一形態であるインデックス表示２
【図９】本発明の情報表示装置が表示する同期視聴モード時のインデックス表示１
【図１０】本発明の情報表示装置が表示する同期視聴ユーザー選択画面
【図１１】本発明の実施例２に係る情報表示装置が表示する同期視聴モード時のインデックス表示２
【図１２】本発明の実施例２に係る情報表示装置が表示する同期視聴モード時の表示
【符号の説明】
【００３７】
１０１  情報表示装置（１）
１０２  情報表示装置（２）
１０３  情報表示装置（３）
１０４  コンテンツサーバー
１０５  インターネット
１０６  デジタルビデオカムコーダ１
１０７  デジタルビデオカムコーダ２
１０８  デジタルビデオカムコーダ３
２０１  操作部
２０２  ネットワーク制御部
２０３  ＣＰＵ
２０４  画像情報デコード部
２０５  メモリ
２０６  表示制御部
２０７  画像表示部
２０８  システムバス
２０９  画像フォーマット変換部
２１０  接続機器制御部
【図１】
2005202544.tif 000003
【図２】
2005202544.tif 000004
【図３】
2005202544.tif 000005
【図４】
2005202544.tif 000006
【図５】
2005202544.tif 000007
【図６】
2005202544.tif 000008
【図７】
2005202544.tif 000009
【図８】
2005202544.tif 000010
【図９】
2005202544.tif 000011
【図１０】
2005202544.tif 000012
【図１１】
2005202544.tif 000013
【図１２】
2005202544.tif 000014